(57)【要約】【課題】  ノントラッキング再生や記録同時再生等の各種記録再生モード時に、トラッキングエラーによる影響を受けない磁気記録再生装置を提供する。【解決手段】  複数の磁気ヘッドが直線状に各々配列された第１および第２の磁気ヘッドスタック部３１、３２を所定間隔隔てて並設する。これらスタック部３１、３２の背面下部に、セラミックを複数積層し、その上部左右の数枚を分離したセラミックアクチュエータ５１を配設する。例えばノントラッキング再生時に、前記アクチュエータ５１に印加する電圧を制御し、該アクチュエータ５１の駆動力を、駆動機構５０を介して前記スタック部３１、３２に伝達し、同一記録トラックに沿う前記スタック部３１、３２側の磁気ヘッド高さを互いに０〜１トラックピッチ分ずれた位置に制御し、トラッキングマージンを広くし、それらのうちエラー信号の少ない方のデータを再生信号処理する。【選択図】  図２
2006018953.tif 000002
【特許請求の範囲】
【請求項１】
長手方向に沿う記録トラックが複数本並置形成されるリニア型磁気テープを用いる磁気記録再生装置において、
複数の磁気ヘッド素子が所定間隔で配列された第１の磁気ヘッドスタック部と、
前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部と、
圧電素子を複数積層した積層体を有し、記録・再生の各種モードに応じて前記積層体に印加する電圧を制御し、前記第１および第２の磁気ヘッドスタック部を磁気ヘッド素子の配列方向に各々調整して前記磁気ヘッド素子を所定の記録トラック位置に対峙させる第１の駆動手段と
を備えたことを特徴とする磁気記録再生装置。
【請求項２】
前記第１および第２の磁気ヘッドスタック部には、磁気ギャップが所定の間隔をもって直線的に配列する複数の記録磁気ヘッド素子の配列部と、該記録磁気ヘッド素子と並置して設けられた再生磁気ヘッド素子の配列部とを有し、
前記第１の駆動手段は、ノントラッキング再生モード時に、同一記録トラックに沿う前記第１および第２の磁気ヘッドスタック部の磁気ヘッド素子を、互いの高さが記録トラックの０〜１トラックピッチ分ずれた位置に対峙させることを特徴とする請求項１に記載の磁気記録再生装置。
【請求項３】
前記第１の駆動手段は、記録同時再生モード時に、同一記録トラックに沿う前記第１および第２の磁気ヘッドスタック部の磁気ヘッド素子を、各々同一記録トラックにオントラッキングする位置に対峙させることを特徴とする請求項２に記載の磁気記録再生装置。
【請求項４】
前記第１の駆動手段は、倍密度再生モード時に、同一記録トラックに沿う前記第１および第２の磁気ヘッドスタック部の磁気ヘッド素子のうちいずれか一方の磁気ヘッド素子の高さを、いずれか他方の磁気ヘッド素子の高さよりも、記録トラックの２トラックピッチ分ずれた位置に対峙させることを特徴とする請求項２に記載の磁気記録再生装置。
【請求項５】
前記第１および第２の磁気ヘッドスタック部には、前記磁気テープに記録されたサーボ信号を再生するサーボ信号再生磁気ヘッド素子の配置部を有し、
前記第１の駆動手段は、前記サーボ信号再生磁気ヘッド素子で再生されたサーボ信号による前記磁気テープの幅方向変動情報と、前記磁気ヘッド素子の位置情報とに基づいてトラッキング動作を行うことを特徴とする請求項２に記載の磁気記録再生装置。
【請求項６】
印加電圧により変位する圧電バイモルフを有し、前記第１および第２の磁気ヘッドスタック部を回動させて前記磁気ヘッド素子の前記磁気テープに対するアジマス調整を行う第２の駆動手段を備えたことを特徴とする請求項１に記載の磁気記録再生装置。
【請求項７】
印加電圧により変位する圧電バイモルフを有し、前記第１および第２の磁気ヘッドスタック部を回動させて前記磁気ヘッド素子の前記磁気テープに対するアジマス調整を行う第２の駆動手段を備えたことを特徴とする請求項２に記載の磁気記録再生装置。
【請求項８】
前記第２の駆動手段は、
前記第１および第２の磁気ヘッドスタック部の各背面であって、前記磁気ヘッド素子の配列直線方向の一方側と他方側の部位に、各々回動自在に軸支された直方体形状のブロックと、
前記各ブロックの上下面に各々設けられ、前記第１の磁気ヘッドスタック部側から第２の磁気ヘッドスタック側にかけて各々延設された平行板バネと、
前記各ブロックの、互いに対向する側面と反対側の側面に各々設けられた圧電バイモルフであって、固定端を、前記第１および第２の磁気ヘッドスタック部の磁気ヘッド素子の配列直線方向の、一方側のブロックの軸支位置に相当する部位に配設し、変位端を前記配列方向の他方側のブロックの側面に各々配置した圧電バイモルフと
を備えたことを特徴とする請求項６に記載の磁気記録再生装置。
【請求項９】
前記第２の駆動手段は、
前記第１および第２の磁気ヘッドスタック部の各背面であって、前記磁気ヘッド素子の配列直線方向の一方側と他方側の部位に、各々回動自在に軸支された直方体形状のブロックと、
前記各ブロックの上下面に各々設けられ、前記第１の磁気ヘッドスタック部側から第２の磁気ヘッドスタック側にかけて各々延設された平行板バネと、
前記各ブロックの、互いに対向する側面と反対側の側面に各々設けられた圧電バイモルフであって、固定端を、前記第１および第２の磁気ヘッドスタック部の磁気ヘッド素子の配列直線方向の、一方側のブロックの軸支位置に相当する部位に配設し、変位端を前記配列方向の他方側のブロックの側面に各々配置した圧電バイモルフと
を備えたことを特徴とする請求項７に記載の磁気記録再生装置。
【請求項１０】
同一記録トラックに対峙する、前記第１および第２の磁気ヘッドスタック部の磁気ヘッド素子の再生信号のうち、エラー信号の少ない方の磁気ヘッド素子の再生信号を選択する選択手段を備えたことを特徴とする請求項１に記載の磁気記録再生装置。
【請求項１１】
同一記録トラックに対峙する、前記第１および第２の磁気ヘッドスタック部の磁気ヘッド素子の再生信号のうち、エラー信号の少ない方の磁気ヘッド素子の再生信号を選択する選択手段を備えたことを特徴とする請求項２に記載の磁気記録再生装置。
【請求項１２】
前記第１および第２の磁気ヘッドスタック部の磁気ヘッド素子の再生信号を各々独立して処理する信号処理系と、
前記選択手段により選択された再生信号を処理する信号処理系とを切り換え可能に構成したことを特徴とする請求項１０に記載の磁気記録再生装置。
【請求項１３】
前記第１および第２の磁気ヘッドスタック部の磁気ヘッド素子の再生信号を各々独立して処理する信号処理系と、
前記選択手段により選択された再生信号を処理する信号処理系とを切り換え可能に構成したことを特徴とする請求項１１に記載の磁気記録再生装置。
【請求項１４】
前記トラッキング動作は、前記第１および第２の磁気ヘッドスタック部のうち、いずれか一方の磁気ヘッドスタック部の記録磁気ヘッド素子といずれか他方の磁気ヘッドスタック部の再生磁気ヘッド素子とを各々独立してトラッキングすることを特徴とする請求項５に記載の磁気記録再生装置。
【請求項１５】
複数の磁気ヘッド素子が所定間隔で配列された第１の磁気ヘッドスタック部と、前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部とを備え、長手方向に沿う記録トラックが複数本並置形成されるリニア型磁気テープの記録再生を行う磁気記録再生方法において、
同一記録トラックに沿う前記第１および第２の磁気ヘッドスタック部の磁気ヘッド素子を、互いの高さが記録トラックの０〜１トラックピッチ分ずれた位置に対峙させて、ノントラッキング制御により再生を行い、
同一記録トラックに対峙する、前記第１および第２の磁気ヘッドスタック部の磁気ヘッド素子の再生信号のうち、エラー信号の少ない方の磁気ヘッド素子の再生信号を選択して再生信号処理を行うことを特徴とする磁気記録再生方法。
【請求項１６】
複数の磁気ヘッド素子が所定間隔で配列された第１の磁気ヘッドスタック部と、前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部とを備え、長手方向に沿う記録トラックが複数本並置形成されるリニア型磁気テープの記録再生を行う磁気記録再生方法において、
同一記録トラックに沿う前記第１および第２の磁気ヘッドスタック部の磁気ヘッド素子のうちいずれか一方の磁気ヘッド素子の高さを、いずれか他方の磁気ヘッド素子の高さよりも、記録トラックの２トラックピッチ分ずれた位置に対峙させて倍密度再生を行い、
前記第１および第２の磁気ヘッドスタック部の磁気ヘッド素子の再生信号を各々独立して再生信号処理することを特徴とする磁気記録再生方法。
【請求項１７】
複数の磁気ヘッド素子が所定間隔で配列された磁気ヘッドスタック部であって、磁気ギャップが所定の間隔をもって直線的に配列する複数の記録磁気ヘッド素子の配列部と、該記録磁気ヘッド素子と並置して設けられた再生磁気ヘッド素子の配列部と、磁気テープに記録されたサーボ信号を再生するサーボ信号再生磁気ヘッド素子の配置部とを有した第１の磁気ヘッドスタック部と、
複数の磁気ヘッド素子が所定間隔で配列された磁気ヘッドスタック部であって、磁気ギャップが所定の間隔をもって直線的に配列する複数の記録磁気ヘッド素子の配列部と、該記録磁気ヘッド素子と並置して設けられた再生磁気ヘッド素子の配列部と、前記磁気テープに記録されたサーボ信号を再生するサーボ信号再生磁気ヘッド素子の配置部とを有した第２の磁気ヘッドスタック部とを備え、
長手方向に沿う記録トラックが複数本並置形成されるリニア型磁気テープの記録再生を行う磁気記録再生方法において、
前記第１および第２の磁気ヘッドスタック部のうち、いずれか一方の磁気ヘッドスタック部の記録磁気ヘッド素子といずれか他方の磁気ヘッドスタック部の再生磁気ヘッド素子とを各々独立してトラッキングすることを特徴とする磁気記録再生方法。
【発明の詳細な説明】
【技術分野】
【０００１】
本発明は、リニア磁気テープシステムが適用される磁気記録再生装置および磁気記録再生方法に関する。
【背景技術】
【０００２】
従来、いわゆるテープ長手方向に平行に複数のトラックを形成し、記録・再生するリニアテープシステムの磁気記録・再生装置において、記録密度が向上するにつれて一本当たりのトラック幅は減少し、正確なトラッキングが得られるよう様々な工夫、対策が講じられている。
【０００３】
例えば下記特許文献１には、一つの記録トラックに対して複数の再生ヘッドを対応させたマルチ再生ヘッドを有し、そのマルチ再生ヘッドの各再生ヘッドは記録トラックの幅方向にずらして配置されると共に、マルチ再生ヘッドの全体の幅（各再生ヘッドトラック幅の総和）を上記記録トラックの幅よりも広くして、トラックずれに対して少なくとも一つのヘッドが確実にトラッキングできるような磁気記録・再生装置が記載されている。
【特許文献１】特開２００３−１３２５０４号公報
【発明の開示】
【発明が解決しようとする課題】
【０００４】
半導体のウエハー技術を利用して磁気ギャップや巻線等を形成するリニアトラックの記録・再生ヘッドでは、所謂隣接するトラックのアジマス角を異なるように形成することは難しい。そのためリニア記録・再生フォーマットはアジマス角を設けない平行なノーアジマス記録が採用されている。
【０００５】
また高密度記録のためにはガードバンドトラックは設けずに隣接トラックとはガードバンドの無いベタ記録で隣接トラックの影響を避ける様な工夫が必須である。記録時にも再生時にもトラッキングエラーの影響を受けるため、再生トラック幅は記録トラックの１／４にすることが求められる。
【０００６】
前記特許文献１では、例えば記録ヘッド数の倍の再生ヘッドを設けた場合、再生ヘッドのトラック幅は１／２より大きいことが特長として提案されている。すなわち例えば等間隔に再生ヘッドの高さをずらすと、記録トラックと再生ヘッドは図１１のような位置関係になる場合がある。
【０００７】
この場合再生ヘッドＡからＤは隣接トラックからの漏れ磁束の影響を受ける。さらに記録トラックのトラック曲がりを考慮すると、最悪全ての再生ヘッドＡ〜Ｄが良好な再生状態を維持できない訂正不能な状態に陥る。これを避ける為にさらに再生ヘッドの幅を狭め、再生ヘッドの総数を増やすことも考えられるが、再生回路の増大を招き、好ましくない。
【０００８】
また、リニア磁気テープのフォーマットは例えば図１２のように構成されている。図１２において、それぞれサーボ信号が記録されたサーボバンドＳＢが磁気テープ２０の長手方向に沿って形成され、これらサーボバンドＳＢ間に、データバンドＤＢが配置されている。
【０００９】
データバンドＤＢには、多数本のデータトラック、すなわち記録トラック（図示省略）が磁気テープ２０の長手方向に沿って、幅方向に多数本並置形成され、大容量化が図られている。
【００１０】
この磁気テープ２０に対する記録・再生は、複数磁気ヘッド素子が配列されたマルチチャンネルによる磁気ヘッド装置が用いられている。そして、この磁気ヘッド装置に対して磁気テープ２０を往復移行し、磁気ヘッド装置の磁気ヘッド部１０を、磁気テープ２０の幅方向に、所定量移行することで、それぞれの往復移行において、それぞれ複数の選択されたトラックに対して、同時に記録もしくは再生を行うことでデータの大容量化、記録再生の高速化を図っている。
【００１１】
この磁気ヘッド装置は、例えば図１３のように、それぞれ磁気ヘッド素子が配列された第１および第２の磁気ヘッドスタック部１１および１２が接合されて成る磁気ヘッド部１０より成る。
【００１２】
各磁気ヘッドスタック部１１および１２においては、同一トラック（トラックのセンターをＣＴ１，ＣＴ２，ＣＴ３…として示す）上に、それぞれ記録磁気ヘッド素子１Ｗと再生磁気ヘッド素子１Ｐとが、並置形成される。各スタック部１１および１２において、各記録磁気ヘッド素子１Ｗ及び再生磁気ヘッド素子１Ｐは、その作動磁気ギャップが、所定の間隔を保持してそれぞれ直線的に配列される。
【００１３】
上記構成において、例えば磁気テープ走行の往路では、第１の磁気ヘッドスタック部１１における各記録磁気ヘッド素子１Ｗによってデータ信号記録がなされ、この記録を、各記録磁気ヘッド素子１Ｗと並置された他方の第２の磁気ヘッドスタック部１２における再生磁気ヘッド素子１Ｐによって再生し、例えば記録状態のモニタ等がなされる（記録同時再生モード）。
【００１４】
また、磁気テープ走行の復路では、第２の磁気ヘッドスタック部１２における各記録磁気ヘッド素子１Ｗによってデータ信号記録がなされ、この記録を、第１の磁気ヘッドスタック部１１における再生磁気ヘッド素子１Ｐによって再生する。
【００１５】
これら記録・再生における磁気ヘッド素子のデータトラックに対するトラッキングは、対象とするデータバンドＤＢを挟んでその両側に配置されたサーボバンドＳＢに記録されたヘッド位置制御用サーボデータ信号の読み出しによってなされる。
【００１６】
上記のように高密度化されたリニア磁気テープにおいては、通常の記録同時再生時やトラッキング再生時に、同一記録トラックに沿う記録磁気ヘッドと再生磁気ヘッドをオントラッキングすることは非常に重要である。
【００１７】
本発明は上記の点に鑑みてなされたものでその目的は、ノントラッキング再生や記録同時再生等の各種記録再生モード時に磁気ヘッドを確実にオントラックさせてトラッキングエラーによる影響を受けないようにした磁気記録再生装置および磁気記録再生方法を提供することにある。
【課題を解決するための手段】
【００１８】
上記課題を解決するための本発明の磁気記録再生装置は、長手方向に沿う記録トラックが複数本並置形成されるリニア型磁気テープを用いる磁気記録再生装置において、複数の磁気ヘッド素子が所定間隔で配列された第１の磁気ヘッドスタック部と、前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部と、圧電素子を複数積層した積層体を有し、記録・再生の各種モードに応じて前記積層体に印加する電圧を制御し、前記第１および第２の磁気ヘッドスタック部を磁気ヘッド素子の配列方向に各々調整して前記磁気ヘッド素子を所定の記録トラック位置に対峙させる第１の駆動手段とを備えたことを特徴としている。
【００１９】
また、前記第１および第２の磁気ヘッドスタック部には、磁気ギャップが所定の間隔をもって直線的に配列する複数の記録磁気ヘッド素子の配列部と、該記録磁気ヘッド素子と並置して設けられた再生磁気ヘッド素子の配列部とを有し、前記第１の駆動手段は、ノントラッキング再生モード時に、同一記録トラックに沿う前記第１および第２の磁気ヘッドスタック部の磁気ヘッド素子を、互いの高さが記録トラックの０〜１トラックピッチ分ずれた位置に対峙させることを特徴としている。
【００２０】
また前記第１の駆動手段は、記録同時再生モード時に、同一記録トラックに沿う前記第１および第２の磁気ヘッドスタック部の磁気ヘッド素子を、各々同一記録トラックにオントラッキングする位置に対峙させることを特徴としている。
【００２１】
また前記第１の駆動手段は、倍密度再生モード時に、同一記録トラックに沿う前記第１および第２の磁気ヘッドスタック部の磁気ヘッド素子のうちいずれか一方の磁気ヘッド素子の高さを、いずれか他方の磁気ヘッド素子の高さよりも、記録トラックの２トラックピッチ分ずれた位置に対峙させることを特徴としている。
【００２２】
また前記第１および第２の磁気ヘッドスタック部には、前記磁気テープに記録されたサーボ信号を再生するサーボ信号再生磁気ヘッド素子の配置部を有し、前記第１の駆動手段は、前記サーボ信号再生磁気ヘッド素子で再生されたサーボ信号による前記磁気テープの幅方向変動情報と、前記磁気ヘッド素子の位置情報とに基づいてトラッキング動作を行うことを特徴としている。
【００２３】
また印加電圧により変位する圧電バイモルフを有し、前記第１および第２の磁気ヘッドスタック部を回動させて前記磁気ヘッド素子の前記磁気テープに対するアジマス調整を行う第２の駆動手段を備えたことを特徴としている。
【００２４】
また前記第２の駆動手段は、前記第１および第２の磁気ヘッドスタック部の各背面であって、前記磁気ヘッド素子の配列直線方向の一方側と他方側の部位に、各々回動自在に軸支された直方体形状のブロックと、前記各ブロックの上下面に各々設けられ、前記第１の磁気ヘッドスタック部側から第２の磁気ヘッドスタック側にかけて各々延設された平行板バネと、前記各ブロックの、互いに対向する側面と反対側の側面に各々設けられた圧電バイモルフであって、固定端を、前記第１および第２の磁気ヘッドスタック部の磁気ヘッド素子の配列直線方向の、一方側のブロックの軸支位置に相当する部位に配設し、変位端を前記配列方向の他方側のブロックの側面に各々配置した圧電バイモルフとを備えたことを特徴としている。
【００２５】
また、同一記録トラックに対峙する、前記第１および第２の磁気ヘッドスタック部の磁気ヘッド素子の再生信号のうち、エラー信号の少ない方の磁気ヘッド素子の再生信号を選択する選択手段を備えたことを特徴としている。
【００２６】
また、前記第１および第２の磁気ヘッドスタック部の磁気ヘッド素子の再生信号を各々独立して処理する信号処理系と、前記選択手段により選択された再生信号を処理する信号処理系とを切り換え可能に構成したことを特徴としている。
【００２７】
また前記トラッキング動作は、前記第１および第２の磁気ヘッドスタック部のうち、いずれか一方の磁気ヘッドスタック部の記録磁気ヘッド素子といずれか他方の磁気ヘッドスタック部の再生磁気ヘッド素子とを各々独立してトラッキングすることを特徴としている。
【００２８】
また上記課題を解決するための本発明の磁気記録再生方法は、複数の磁気ヘッド素子が所定間隔で配列された第１の磁気ヘッドスタック部と、前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部とを備え、長手方向に沿う記録トラックが複数本並置形成されるリニア型磁気テープの記録再生を行う磁気記録再生方法において、同一記録トラックに沿う前記第１および第２の磁気ヘッドスタック部の磁気ヘッド素子を、互いの高さが記録トラックの０〜１トラックピッチ分ずれた位置に対峙させて、ノントラッキング制御により再生を行い、同一記録トラックに対峙する、前記第１および第２の磁気ヘッドスタック部の磁気ヘッド素子の再生信号のうち、エラー信号の少ない方の磁気ヘッド素子の再生信号を選択して再生信号処理を行うことを特徴としている。
【００２９】
また、複数の磁気ヘッド素子が所定間隔で配列された第１の磁気ヘッドスタック部と、前記第１の磁気ヘッドスタック部に隣接して配置され、複数の磁気ヘッド素子が前記第１の磁気ヘッドスタック部の磁気ヘッド素子と同一間隔で配列された第２の磁気ヘッドスタック部とを備え、長手方向に沿う記録トラックが複数本並置形成されるリニア型磁気テープの記録再生を行う磁気記録再生方法において、同一記録トラックに沿う前記第１および第２の磁気ヘッドスタック部の磁気ヘッド素子のうちいずれか一方の磁気ヘッド素子の高さを、いずれか他方の磁気ヘッド素子の高さよりも、記録トラックの２トラックピッチ分ずれた位置に対峙させて倍密度再生を行い、前記第１および第２の磁気ヘッドスタック部の磁気ヘッド素子の再生信号を各々独立して再生信号処理することを特徴としている。
【００３０】
また複数の磁気ヘッド素子が所定間隔で配列された磁気ヘッドスタック部であって、磁気ギャップが所定の間隔をもって直線的に配列する複数の記録磁気ヘッド素子の配列部と、該記録磁気ヘッド素子と並置して設けられた再生磁気ヘッド素子の配列部と、磁気テープに記録されたサーボ信号を再生するサーボ信号再生磁気ヘッド素子の配置部とを有した第１の磁気ヘッドスタック部と、複数の磁気ヘッド素子が所定間隔で配列された磁気ヘッドスタック部であって、磁気ギャップが所定の間隔をもって直線的に配列する複数の記録磁気ヘッド素子の配列部と、該記録磁気ヘッド素子と並置して設けられた再生磁気ヘッド素子の配列部と、前記磁気テープに記録されたサーボ信号を再生するサーボ信号再生磁気ヘッド素子の配置部とを有した第２の磁気ヘッドスタック部とを備え、長手方向に沿う記録トラックが複数本並置形成されるリニア型磁気テープの記録再生を行う磁気記録再生方法において、前記第１および第２の磁気ヘッドスタック部のうち、いずれか一方の磁気ヘッドスタック部の記録磁気ヘッド素子といずれか他方の磁気ヘッドスタック部の再生磁気ヘッド素子とを各々独立してトラッキングすることを特徴としている。
【００３１】
より具体的には、
（１）前記第１の駆動手段の積層体は、複数のセラミックを積層したトラッキング用積層セラミックと、第１および第２の磁気ヘッドスタック部に各々対応する側に分離したヘッド高さ調整用積層セラミックとで構成する。そして記録同時再生モード時に、分離したヘッド高さ調整用積層セラミックを同時に同電圧を印加するか、又は電圧を印加せず、記録トラックに再生磁気ヘッド素子をオントラッキングさせる。
（２）またノントラッキング再生モード時に、前記分離したヘッド高さ調整用積層セラミックの片方には電圧を印加せず、他方には一定電圧を印加し、記録ヘッドギャップに隣接している再生ギャップを動作させ両方のヘッド高さをわずかにずらし、所謂二倍再生（ノントラッキング）ヘッドとして機能させる。
（３）前記分離したヘッド高さ調整用積層セラミックの片方には電圧を印加せず、他方には前記（２）の場合より高電圧を印加し、トラックピッチの２倍分に相当する高さを変位させ、所謂倍密度再生を可能にした。
（４）第１および第２の磁気ヘッドスタック部の磁気ヘッド素子のヘッド高さが可変できるよう、第１および第２の磁気ヘッドスタック部に回転可能なブロックを配置し、さらにブロックが上下に平行して変位するよう、上下二枚の平行板バネで支持する構造とした。
（５）前記（２）の場合にはＲＦ信号処理系までを２系統持ち、正しいデータの方を選択し、以降の信号処理系に伝送する機能を持つように構成した。
（６）前記（３）の場合には信号処理系を独立した２系統持つように構成した。
（７）前記（２）、（３）の場合において、エラー訂正された２系統のデータをそのまま平行処理する系と途中で１系統にまとめる系とを切り替え可能にした信号処理系を構成した。
（８）記録ギャップと再生素子（例えばＭＲ素子等の磁気抵抗素子）を一つの磁気ヘッドスタック部の左右に近接して配置し、その記録・再生のペアを上下にインラインに複数配置して磁気記録・再生ヘッドを構成し、その磁気ヘッドスタック部を上下逆向きに左右に隣接配置するように構成した。
（９）前記（４）のブロックに、第２の駆動手段としての圧電バイモルフを設け、アジマス調整を行う。
（１０）記録トラック本数に対して二倍以上の再生磁気ヘッド素子を用いて再生する所謂ノントラッキング再生機構において、再生トラックの幅の総和は記録トラックの総和を超えないようにした
（１１）前記（１０）のノントラッキング再生機構において、再生トラックの幅の総和は記録トラックの総和を超えず、且つ第１および第２の磁気ヘッドスタック部の再生磁気ヘッド素子の高さずれを０から１ピッチの間に設定した。
（１２）前記（１０）のノントラッキング再生機構において、再生トラックの幅の総和は記録トラックの総和を超えず、且つ第１および第２の磁気ヘッドスタック部の再生磁気ヘッド素子の高さは、いわゆるオントラッキング高さからずらすように構成した。
【発明の効果】
【００３２】
（１）本発明の磁気記録再生装置によれば、圧電素子を複数積層した積層体への、電圧印加による積層方向変位を利用した簡単な装置構成によって、記録トラックに対峙する磁気ヘッド素子を、各種記録・再生モードに応じて、隣接トラックの影響を受けない最適位置に制御することができる。このため再生時のトラッキングエラーによる再生信号の劣化を防ぐことができ、更なる高密度の記録・再生が可能となり、これによってフォーマットの高密度化マイグレーションの実行が可能となる。
（２）また請求項２、１０、１１、１５に記載の発明によれば、通常のトラッキング再生時よりもトラッキングマージンが広くなり、従来のノントラッキング再生よりもトラッキングエラーに対する余裕度が著しく増す。すなわち、ノントラッキング再生であるにも拘わらず、いわゆる二倍再生ヘッドを搭載してトラッキングマージンを十分に確保した場合と同等の作用、効果が得られる。
（３）また請求項３に記載の発明によれば、通常の記録同時再生を行う場合に、同一記録トラックに沿って、先行する側の例えば第１の磁気ヘッドスタック部の記録磁気ヘッド素子と後行する側の第２の磁気ヘッドスタック部の再生磁気ヘッド素子とを同一高さにしてトラッキングすることが可能である。
（４）また請求項４、１６に記載の発明によれば、倍密度再生が可能になりデータ転送速度を半分にすることができ、記録容量の増大に伴う転送速度の問題を解決する有力な手段、方法となる。
（５）また請求項６、７に記載の発明によれば、第１の駆動手段による磁気ヘッド素子の配列方向、すなわち高さ方向の調整とともに、第２の駆動手段による磁気テープの幅方向変動に対する磁気ヘッド素子のアジマス調整を同時に行うことができる。
（６）また請求項８、９に記載の発明によれば、アジマス調整時の圧電バイモルフの変位力は、圧電バイモルフの固定端が配設されている、前記磁気ヘッド素子の配列直線方向の一方側のブロックの軸支位置に相当する部位を支点とし、変位端が配設されている前記配列直線方向の他方側のブロックに作用し、該ブロックを介して第１および第２の磁気ヘッドスタック部を回動させる。
【００３３】
このとき各ブロックの上下面に各々設けられた平行板バネによって、第１および第２の磁気ヘッドスタック部の磁気ヘッド素子の配列直線は互いに平行に保たれるので、第１および第２の磁気ヘッドスタック部を同一アジマス角をもって回動させることができる。これによって各磁気ヘッド素子を記録トラックに良好に対峙させて良好なアジマス調整を行うことができる。
（７）また請求項１２、１３に記載の発明によれば、記録・再生の各種モードに対応可能な信号処理系（装置）を構築することができる。
（８）また請求項１４、１７に記載の発明によれば、記録磁気ヘッド素子と再生磁気ヘッド素子を独立してトラッキングすることによりそれぞれのヘッドに最適なトラッキングが行える。これにより記録磁気ヘッドから再生磁気ヘッドまで通過するトラックに曲がりや変動を生じても確実に追随することができる。
【発明を実施するための最良の形態】
【００３４】
以下、図面を参照しながら本発明の実施の形態を説明する。  
【００３５】
まず、本発明による磁気記録再生装置の一実施形態例を図１の概略構成図を参照して説明する。
【００３６】
本発明による磁気記録再生装置は、磁気ヘッド装置３０を有し、磁気テープ２０を磁気ヘッド装置３０のテープ走行面に対して往復移行するように走行させる走行駆動部４０と、磁気ヘッド装置３０の磁気ヘッド素子を、磁気テープ２０のトラックにトラッキングさせる、磁気テープ２０の長手方向に直交する方向に駆動させる、磁気ヘッド素子の磁気テープ２０に対するアジマス角を調整する、等を行う駆動機構５０とを有する。
【００３７】
走行駆動部４０は、磁気テープ２０が巻回される第１の巻回部４１を有するテープカセット４２と、テープカセット４２から引き出された磁気テープ２０を磁気ヘッド装置３０に案内するガイドローラ、ガイドピン等の案内体４３を有する案内手段と、例えばテープカセット４２外に配置された磁気テープ２０の第２の巻回部４４と、第１及び第２の巻回部４１、４４との間に、磁気テープ２０を、その長手方向に往復走行させる各巻回部４１及び４４の回転駆動部（図示省略）等で構成されている。
【００３８】
磁気テープ２０は、図１２で説明したと同様に、それぞれサーボ信号が記録されたサーボバンドＳＢが磁気テープ２０の長手方向に沿って形成され、これらサーボバンドＳＢ間に、データバンドＤＢが配置された構成を有する。
【００３９】
データバンドＤＢには、多数本のデータトラック、すなわち記録トラック（図示省略）が磁気テープ２０の長手方向に沿って、幅方向に多数本並置形成される。
【００４０】
図２は、図１の磁気ヘッド装置３０および駆動機構５０の詳細を示している。図２において、３１は複数の磁気ヘッド素子が所定間隔で配列された第１の磁気ヘッドスタック部であり、３２は、第１の磁気ヘッドスタック部３１に隣接して配置され、複数の磁気ヘッド素子が第１の磁気ヘッドスタック部３１の磁気ヘッド素子と同一間隔で配列された第２の磁気ヘッドスタック部である。
【００４１】
これら磁気ヘッドスタック部３１、３２の各ヘッド摺動面には、図３の要部平面図に示すように、同一データトラックに対応する記録磁気ヘッド素子１Ｗと再生磁気ヘッド素子１Ｐとがそれぞれ並置形成される。各スタック部３１及び３２において、各記録磁気ヘッド１Ｗ及び再生磁気ヘッド１Ｐは、その磁気ギャップが、所定の間隔を保持してそれぞれトラック幅方向に直線的に配列される。
【００４２】
更に、第１および第２の磁気ヘッドスタック部３１、３２の、これら記録磁気ヘッド素子１Ｗ及び再生磁気ヘッド素子１Ｐの配列部３３の両端に、サーボ信号再生磁気ヘッド素子１Ｓが配置される。
【００４３】
そして記録トラック幅を５ミクロン、再生トラック幅を１．２５ミクロンとした前記磁気ヘッド素子の記録・再生ギャップを左右線対称な配置にして上下に例えば１６個、１００ミクロンおきに配置している。各磁気ヘッドスタック部３１、３２のヘッド摺動面はフラット面若しくはテープ幅方向を軸線とする大きな曲率半径を持つ曲面としている。
【００４４】
テープ長手方向の稜線はシャープエッジに形成されテープに付着している空気境界層の剥離効果を得ている。これら各磁気ヘッドスタック部３１、３２には、磁気テープは約０．５から５度の間の角度でラップしている。従って二つの磁気ヘッドは１度から１０度の間の角度をなすように配置する。
【００４５】
第１および第２の磁気ヘッドスタック部３１、３２の各ヘッド摺動面と反対側の面（背面）は、第１および第２の磁気ヘッドベース３４、３５に取り付けられ、該磁気ヘッドベース３４、３５の背面には駆動機構５０が設けられている。
【００４６】
駆動機構５０は次のように構成されている。５１は、テープ幅方向の変動に、第１および第２の磁気ヘッドスタック部３１、３２の磁気ヘッド素子が追随出来るようにピエゾ素子（セラミック）を複数積層したセラミックアクチュエータ（第１の駆動手段）であり、その下部はテープドライブ装置のベース面に固定されている。
【００４７】
このセラミックアクチュエータ５１は、電圧印加により積層方向に変位（振幅）するものであり、その積層高さは例えば０．２５ｍｍの圧電素子（セラミック）を総厚１０ｍｍ〜４０ｍｍになるように重ね（４０枚〜１６０枚）、振幅量としては２０ミクロンを確保している。従って一枚当たり０．１２５ミクロンから０．５ミクロンの膜厚の変化となる。
【００４８】
そしてセラミックアクチュエータ５１の上部数枚を左右に（第１および第２の磁気ヘッドスタック部３１、３２の配置に対応して）分離し図２のように別電極を形成している。そしてこれら左右に分離された上部数枚のセラミックを、各々ヘッド高さ調整用積層セラミック５１ａ，５１ｂとし、その下側の分離していない複数枚のセラミックをトラッキング用メイン積層セラミック５１ｃとしている。
【００４９】
ヘッド高さ調整用積層セラミック５１ａ，５１ｂには直流電源ＰDCの電圧がスイッチＳＷを介して各々印加され（５１ａ側のみを図示している）、トラッキング用メイン積層セラミック５１ｃには交流電源ＰACの電圧が印加される。
【００５０】
前記磁気ヘッドベース３４、３５の、各磁気ヘッド素子の配列方向（高さ方向）の中央に位置する部位と、上部には、駆動機構５０側に突出する枢軸５２ａ〜５２ｄが設けられている。
【００５１】
これら枢軸５２ａ〜５２ｄには直方体形状のブロック５３ａ〜５３ｄが回動自在に軸支されている。これら４つのブロック５３ａ〜５３ｄのうち、上側のブロック５３ａ，５３ｃの各上下面には図示の平行板バネ５４ａ，５４ｂが配設され、下側のブロック５３ｂ，５３ｄの各上下面には図示の平行板バネ５４ｃ，５４ｄが配設されている。平行板バネ５４ｄの下側には前記セラミックアクチュエータ５１が配設されている。
【００５２】
前記ブロック５３ａ，５３ｂの外側と前記ブロック５３ｃ，５３ｄの外側には、図示省略の電源からの印加電圧により変位する圧電バイモルフ５５ａ，５５ｂが各々接着されている。
【００５３】
これら圧電バイモルフ５５ａ，５５ｂは、固定端が、下側のブロック５３ｂ，５３ｄの側面の枢軸５２ｂ，５２ｄに相当する部位に各々配設され、変位端が、上側のブロック５３ａ，５３ｃの側面の枢軸５２ａ，５２ｃに相当する部位に各々配設されている。
【００５４】
尚前記ブロック５３ａ〜５３ｄは、フレキシブル配線基板（図示省略）を引き出し固定する役目も果たしている。
【００５５】
上記のように構成された装置において、図１２で述べた磁気テープ２０のサーボバンドＳＢに予め記録されたサーボ信号を、第１および第２の磁気ヘッドスタック部３１、３２に設けられたサーボ信号再生磁気ヘッド素子１Ｓで再生することにより、磁気テープ２０の幅方向の情報及び磁気ヘッド素子の位置情報を得て、これらに基づいて、トラッキング用メイン積層セラミック５１ｃに印加する交流電源ＰACの電圧を制御し、前記磁気ヘッドスタック部３１、３２を磁気ヘッド素子の配列方向に移動させてトラッキング制御を行う。
【００５６】
また、ヘッド高さ調整用積層セラミック５１ａ，５１ｂに印加する直流電源ＰDCの電圧を、各種記録再生モードに応じて各々制御することにより、第１および第２の磁気ヘッドスタック部３１、３２を磁気ヘッド素子の配列方向に移動させて、後述するヘッド高さに調整する。
【００５７】
前記トラッキング制御およびヘッド高さ調整は、セラミックアクチュエータ５１の変位力（駆動力）がブロック５３ａ〜５３ｄ、枢軸５２ａ〜５２ｄおよび磁気ヘッドベース３４、３５を介して、第１および第２の磁気ヘッドスタック部３１、３２に伝達されることによりなされる。
【００５８】
また、前述したサーボバンドＳＢのサーボ信号を、第１および第２の磁気ヘッドスタック部３１、３２に設けられたサーボ信号再生磁気ヘッド素子１Ｓで再生することにより、磁気テープ２０の幅方向の情報及び磁気ヘッド素子の位置情報を得て、これらに基づいて、圧電バイモルフ５５ａ，５５ｂに印加する電圧を制御し、第１および第２の磁気ヘッドスタック部３１、３２を同一角度で回動させて磁気テープに対するアジマス調整を行う。
【００５９】
この場合、圧電バイモルフ５５ａ，５５ｂは印加電圧によって変位するが、その際、固定端である枢軸５２ｂ，５２ｄに位置する部位を支点とし、変位端側のブロック５３ａ、５３ｃに変位力が作用し回動が行われる。このとき、平行板バネ５４ａ〜５４ｄの作用により、第１および第２の磁気ヘッドスタック部３１、３２の磁気ヘッド素子の配列直線が平行関係に保持された状態で回動が行われるため、第１および第２の磁気ヘッドスタック部３１、３２は同一アジマス角で傾くことができる。
【００６０】
尚、図４（ａ）はアジマスをかけていないときの磁気ヘッド装置３０の背面側から見た駆動機構５０の正面図、図４（ｂ）は所定のアジマスをかけたときの同正面図である。
【００６１】
このように圧電バイモルフ５５ａ，５５ｂに直流電圧を印加することにより、テープの幅方向が環境や経時変化により変化した磁気テープを走行させるときに、ヘッドアジマス角を変化させて上下両端のヘッドギャップがトラックセンターにくるように制御することができる。
【００６２】
尚本実施形態例では、第１の駆動手段としてのセラミックアクチュエータ５１の駆動力を伝達する機構と、第２の駆動手段としての圧電バイモルフ５５ａ，５５ｂの変化力を伝達する機構は、枢軸５２ａ〜５２ｄおよびブロック５３ａ〜５３ｄによって共通化しているので、駆動機構５０の構成が簡素化される。
【００６３】
次に、上記の装置における磁気記録・再生の各種モード時の制御の様子と、制御される磁気ヘッド素子の高さ関係を説明する。図５は第１および第２の磁気ヘッドスタック部３１、３２のヘッド摺動面から見た図であり、図６は磁気テープ２０の記録トラックと第１および第２の磁気ヘッドスタック部３１、３２の記録・再生磁気ヘッド素子の位置関係を示している。図中Ｍは磁気シールドを表している。
【００６４】
また図７は本実施形態例の装置の制御の流れを示し、図８は本実施形態例における再生信号処理系を示している。
【００６５】
これらの図において、まずノントラッキング再生モード時は、図５（ａ）、図６（ａ）に示すように、同一記録トラックに沿う第１および第２の磁気ヘッドスタック部３１、３２の再生磁気ヘッド素子３１Ｐ，３２Ｐを、互いの高さが記録トラックの１／２トラックピッチ分ずれた位置に制御する。
【００６６】
これは図２で述べたように、ヘッド高さ調整用積層セラミック５１ａ，５１ｂへの直流印加電圧を制御することにより（例えばいずれか一方に電圧印加し、いずれか他方には印加しない等により）行われる。
【００６７】
図９（ａ）は、本実施形態例により第１の磁気ヘッドスタック部３１側の再生磁気ヘッド素子３１ＰＦと第２の磁気ヘッドスタック部３２側の再生磁気ヘッド素子３２ＰＲとが高さ方向に１／２トラックピッチ分ずれた例を示し、図９（ｂ）は従来のように一つの再生磁気ヘッド素子１Ｐのみで通常のトラッキング再生を行う例を示している。
【００６８】
従来例の図９（ｂ）では、幅５ミクロンの記録トラックの幅方向中央に、トラック幅１．２５ミクロン（１／４トラックピッチ）の再生磁気ヘッド素子１Ｐが存在するので、トラッキングマージンは３／８トラックピッチ（１．８７５ミクロン）しかない。
【００６９】
これに対して本実施形態例の図９（ａ）では、第１の磁気ヘッドスタック部３１側の再生磁気ヘッド素子３１ＰＦを、図９（ｂ）の素子１Ｐの位置よりも下側に１／４トラックピッチずらし、第２の磁気ヘッドスタック部３２側の再生磁気ヘッド素子３２ＰＲを前記素子１Ｐよりも上側に１／４トラックピッチずらしている。
【００７０】
このため本実施形態例の図９（ａ）においては、トラッキングマージンが５／８トラックピッチ（３．１２５ミクロン）と、かなり広くなる。したがって図９（ｂ）に示す通常のトラッキング再生時に比較して（５／８）−（３／８）＝２／８＝１／４トラックピッチずれ分トラッキングマージンが広がる。これは本実施形態例では１．２５ミクロンに相当し、例えばトラッキングエラーの標準偏差の目標値０．２ミクロンに対して６σに相当し、十分な余裕といえる。
【００７１】
この場合ノントラッキングというよりも、二倍再生ヘッドを搭載してトラッキングマージンを十分に確保したトラッキング方法といえる。
【００７２】
そして第１および第２の磁気ヘッドスタック部３１、３２側の各再生磁気ヘッド素子３１ＰＦ、３２ＰＲで再生された信号は、例えば図８の再生信号処理系に導入され、いずれか正しい方のデータ（エラー信号の少ない方のデータ）を選択し以降の信号処理系に伝送され処理される。
【００７３】
図８において６０Ｆ，６０Ｒは各々ＲＦ系信号処理部であり、６１は２系のＲＦ系信号処理部６０Ｆ，６０Ｒの出力信号のエラーレートを比較しエラー信号の少ない方のデータを選択する比較・選択部であり、６２Ｆ，６２Ｒは各々信号処理系である。
【００７４】
尚ノントラッキング再生時のヘッド高さは、前述した１／２トラックピッチずらすに限らず、図１０（ａ）に示すように、再生磁気ヘッド素子３１ＰＦを図９（ｂ）の素子１Ｐの位置よりも下側に１／８トラックピッチずらし、第２の磁気ヘッドスタック部３２側の再生磁気ヘッド素子３２ＰＲを前記素子１Ｐよりも上側に１／８トラックピッチずらしても良い。この図１０（ａ）の場合もトラッキングマージンが４／８トラックピッチとなり、従来の図９（ｂ）の場合と比較して（４／８）−（３／８）＝１／８トラックピッチ分トラッキングマージンが広がる。
【００７５】
また図１０（ｂ）に示すように、再生磁気ヘッド素子３１ＰＦを図９（ｂ）の素子１Ｐの位置よりも下側に３／８トラックピッチずらし、第２の磁気ヘッドスタック部３２側の再生磁気ヘッド素子３２ＰＲを前記素子１Ｐよりも上側に３／８トラックピッチずらしても良い。この図１０（ｂ）の場合もトラッキングマージンが６／８トラックピッチとなり、従来の図９（ｂ）の場合と比較して（６／８）−（３／８）＝３／８トラックピッチ分トラッキングマージンが広がる。
【００７６】
次に、通常の記録同時再生モード時は、図５（ｂ）、図６（ｂ）に示すように、同一記録トラックに沿う第１の磁気ヘッドスタック部３１の磁気ヘッド素子３１Ｗ、３１Ｐと、第２の磁気ヘッドスタック部３２の磁気ヘッド素子３２Ｗ、３２Ｐとを同一高さに制御する。
【００７７】
これは図２のヘッド高さ調整用積層セラミック５１ａ，５１ｂへの直流印加電圧を制御することにより（例えば前記両セラミック５１ａ，５１ｂに同時に同一電圧を印加するか、又は電圧を零とすることにより）行われる。
【００７８】
次に倍密度再生モード時は、図５（ｃ）、図６（ｃ）に示すように、同一記録トラックに沿う、第１の磁気ヘッドスタック部３１の再生磁気ヘッド素子３１Ｐと第２の磁気ヘッドスタック部３２の再生磁気ヘッド素子３２Ｐの高さを、記録トラックの２トラックピッチ分ずれた位置に制御する。
【００７９】
これは、図２のヘッド高さ調整用積層セラミック５１ａ，５１ｂのいずれか一方へ、トラックピッチの２倍に相当する分の直流電圧を印加することにより行われる。この際セラミックアクチュエータ５１の変位量（振幅量）は、記録トラック幅が５ミクロンであるため５×２倍＝１０ミクロンとなり、これは、本実施形態例のセラミックアクチュエータ５１が確保している振幅量２０ミクロンの半分に相当するので、セラミックアクチュエータ５１の上部において、全長の１／３ずつを分離してヘッド高さ調整用積層セラミック５１ａ，５１ｂを構成すれば良いことになる。
【００８０】
このように制御することにより、磁気テープ２０がいずれの方向に走行する場合でも、倍密度再生を行うことができ、データ転送速度を半分にすることができる。
【００８１】
この倍密度再生時は、図８の処理系のうち比較・選択部６１を除いた２系統の再生信号処理系で各々独立して再生信号処理が行われる。
【００８２】
尚本実施形態例においては、前述のノントラッキング再生時に２系統のデータを比較・選択して途中で１系統にまとめる系と、前記倍密度再生時のように２系統のデータをそのまま平行処理する系とを切り替えることができるように構成されている。
【００８３】
すなわち例えば、図８のＲＦ系信号処理部６０Ｒと信号処理系６２Ｒを結ぶ信号経路に介挿したスイッチ（図示省略）をオン、オフ制御することで行われる。
【００８４】
更に本発明の他の実施形態例としては、ヘッド高さ調整用積層セラミック５１ａ，５１ｂに、前述した固定の直流電圧を印加するのではなく、記録磁気ヘッド素子と再生磁気ヘッド素子間でテープ幅方向に変動したときの差分に相当する変位分トラッキング用コントロール電圧を印加する。このようにすることにより、記録磁気ヘッドと再生磁気ヘッドを独立してトラッキングすることができ、これによってそれぞれの磁気ヘッドを最適にトラッキングすることが可能となる。したがって、記録磁気ヘッドから再生磁気ヘッドまで通過するトラックに曲がりや変動を生じても、確実に追随することができる。
【００８５】
尚、本発明の第１の駆動手段としてのセラミックアクチュエータ５１の形状、積層枚数等は前記実施形態例に示すものに限らず、本発明の作用、効果を奏する範囲で任意に設計変更しても良い。
【００８６】
また第２の駆動手段としての圧電バイモルフ５５ａ，５５ｂの変位力を伝達する機構は、前記実施形態例のブロック５３ａ〜５３ｄや平行板バネ５４ａ〜５４ｄに限らず、同様の作用、効果を奏する他の機構で構成しても良い。
【００８７】
また、第１の駆動手段と第２の駆動手段の駆動力を、第１および第２の磁気ヘッドスタック部に伝達する機構として、前記実施形態例では枢軸５２ａ〜５２ｄ、ブロック５３ａ〜５３ｄを共通部品として使ったが、これに限らず各々独立した伝達機構を用いても良い。
【００８８】
また本発明は図１の磁気テープドライブ装置に適用するに限らず、リニア磁気テープを用いる他の磁気ヘッド装置、磁気テープドライブ装置、記録・再生装置にも適用することができ、その場合も前記と同様の作用、効果を奏する。
【図面の簡単な説明】
【００８９】
【図１】本発明が適用される磁気テープドライブ装置の一例を示す構成図。
【図２】本発明の一実施形態例の斜視図。
【図３】本発明の磁気ヘッド装置のヘッド摺動面を説明するための平面図。
【図４】本発明の一実施形態例の要部を表し、（ａ）はアジマス調整無しの場合の背面図、（ｂ）アジマス調整有りの場合の背面図。
【図５】本発明の一実施形態例における磁気ヘッド素子の高さ関係を表し、（ａ）はノントラッキング再生時の要部正面図、（ｂ）は記録同時再生時の要部正面図、（ｃ）は倍密度再生時の要部正面図、（ｄ）はヘッド摺動面の詳細を説明するための正面図。
【図６】本発明の一実施形態例における磁気ヘッド素子と記録トラックとの位置関係を表し、（ａ）はノントラッキング再生時の要部正面図、（ｂ）は記録同時再生時の要部正面図、（ｃ）は倍密度再生時の要部正面図。
【図７】本発明の一実施形態例における制御の流れを示す説明図。
【図８】本発明の再生信号処理系の一例を示すブロック図。
【図９】磁気記録再生装置における再生磁気ヘッドと記録トラックの位置関係を表し、（ａ）は本実施形態例の位置関係を示す説明図、（ｂ）は従来の位置関係を示す説明図。
【図１０】再生磁気ヘッドと記録トラックの位置関係を表し、（ａ），（ｂ）はともに本発明の他の実施形態例の位置関係を示す説明図。
【図１１】従来方式による再生磁気ヘッドと記録トラックの位置関係を示す説明図。
【図１２】リニア磁気テープのフォーマットの例を示す模式図。
【図１３】従来の磁気ヘッド部の正面図。
【符号の説明】
【００９０】
１Ｓ…サーボ信号再生磁気ヘッド素子、２０…磁気テープ、３０…磁気ヘッド装置、３１…第１の磁気ヘッドスタック部、３１Ｐ，３１ＰＦ，３２Ｐ，３２ＰＲ…再生磁気ヘッド素子、３１Ｗ，３２Ｗ…記録磁気ヘッド素子、３２…第２の磁気ヘッドスタック部、３３…磁気ヘッド素子の配列部、３４、３５…磁気ヘッドベース、５０…駆動機構、５１…セラミックアクチュエータ、５１ａ，５１ｂ…ヘッド高さ調整用積層セラミック、５１ｃ…トラッキング用メイン積層セラミック、５２ａ〜５２ｄ…枢軸、５３ａ〜５３ｄ…ブロック、５４ａ〜５４ｄ…平行板バネ、５５ａ，５５ｂ…圧電バイモルフ、６０Ｆ，６０Ｒ…ＲＦ系信号処理部、６１…比較・選択部、６２Ｆ，６２Ｒ…信号処理系、ＰDC…直流電源、ＰAC…交流電源、ＳＷ…スイッチ。
【図１】
2006018953.tif 000003
【図２】
2006018953.tif 000004
【図３】
2006018953.tif 000005
【図４】
2006018953.tif 000006
【図５】
2006018953.tif 000007
【図６】
2006018953.tif 000008
【図７】
2006018953.tif 000009
【図８】
2006018953.tif 000010
【図９】
2006018953.tif 000011
【図１０】
2006018953.tif 000012
【図１１】
2006018953.tif 000013
【図１２】
2006018953.tif 000014
【図１３】
2006018953.tif 000015